(57)【要約】【課題】  読影結果記録の作業負担を軽減する。【解決手段】  医用画像の変更を指示する変更指示手段による医用画像の変更が受診者を変更する指示である場合、現在表示されている医用画像と同一の受診者で現在表示されている医用画像とは別の医用画像が存在するかどうかを判断し、現在表示されている医用画像と同一の受診者で現在表示されている医用画像とは別の医用画像が存在すると判断されるときは、同一受診者の医用画像がなくなるまで、前記変更指示手段より指示された受診者の変更を制限する制限制限手段と、を有することを特徴とする医用画像処理装置を提供する。【選択図】  図３
2008259877.tif 000002
【特許請求の範囲】
【請求項１】
表示手段によって表示される医用画像とは異なる表示に変更するための指示を行う変更指示手段と、
前記変更指示手段による指示に応じて、現在表示されている医用画像と同一の受診者であって現在表示されている医用画像とは別の医用画像が存在するかどうかを判断する判断手段と、
前記判断手段によって現在表示されている医用画像と同一の受診者で現在表示されている医用画像とは別の医用画像が存在すると判断されるときは、該同一受診者の別の医用画像が表示されるまで、前記変更指示手段より指示された表示の変更を制限する制限制限手段と、
を有することを特徴とする医用画像処理装置。
【請求項２】
医用画像を表示する医用画像表示ステップと、
前記医用画像表示ステップにおいて表示される医用画像とは異なる表示に変更するための指示を行う変更指示ステップと、
前記変更指示ステップステップにおける指示に応じて、現在表示されている医用画像と同一の受診者で現在表示されている医用画像とは別の医用画像が存在するかどうかを判断する判断ステップと、
前記判断ステップにおいて現在表示されている医用画像と同一の受診者であって現在表示されている医用画像とは別の医用画像が存在すると判断されるときは、該同一受診者の別の医用画像が表示されるまで、前記変更指示ステップより指示された受診者の変更を制限する制限ステップと、
を有することを特徴とする医用画像処理方法。
【請求項３】
請求項２に記載の医用画像読影方法の各ステップを実行するコンピュータ実行可能なプログラム。
【請求項４】
請求項３に記載のプログラムが格納されたコンピュータ読み取り可能な記憶媒体。
【発明の詳細な説明】
【技術分野】
【０００１】
本発明は、医用Ｘ線画像等のための医用画像処理装置、医用画像読影方法、プログラム、および記憶媒体に関する。
【背景技術】
【０００２】
医用画像には医用Ｘ線画像、ＣＴスキャン画像、ＭＲＩ画像等があるが、従来の医用画像はフイルム・スクリーン系の撮影装置によって撮影された。集団検診における医用Ｘ線画像はロールフィルム等に撮影され、読影者の医師はロールフィルムを順次読影し、読影結果を記録する。通例、集団検診では異常所見がないときには読影結果は記入せず、異常所見がある場合のみ、受診者の問診表、読影レポート、マークシート等に読影結果を記入する。
【０００３】
一方、医用画像のデジタル化に関する国際規格ＤＩＣＯＭ（ｄｉｇｉｔａｌ  ｉｎｆｏｒｍａｔｉｏｎ  ａｎｄ  ｃｏｍｍｕｎｉｃａｔｉｏｎ  ｉｎ  ｍｅｄｉｃｉｎｅ）に呼応して、我が国では日本放射線機器工業会（ＪＩＲＡ）によりＭＩＰＳ（ｍｅｄｉｃａｌ  ｉｍａｇｅ  ｐｒｏｃｅｓｓｉｎｇ  ｓｙｓｔｅｍ）規格が制定され、医用画像のデジタル化が進行している。
【０００４】
このような背景の下、医用Ｘ線画像をデジタルデータとして検出・生成するＸ線デジタル撮影装置が開発されている。例えば、Ｘ線に対して感度を持つ固体撮像素子によって、Ｘ線を検出し、Ｘ線の強度に応じたアナログ信号を出力し、アナログ信号をＡ／Ｄ変換してデジタルデータを得る平面センサーパネルを用いたＸ線撮影装置がある。Ｘ線撮影装置は従来の撮影装置と比べはるかに小型であり、受診者の被爆線量を軽減できること等からあらゆる方面で積極的に使われ始めている。
【０００５】
Ｘ線デジタル撮影装置においては、撮影画像はフイルムではなくデジタルデータとして記録され、記録されたデジタルデータはモニタ上に表示され、モニタ上で読影作業が行われるので、読影作業に際して、読影結果を入力保存したいという要望が強い。
【特許文献１】特開２０００−０４１９７７
【発明の開示】
【発明が解決しようとする課題】
【０００６】
しかしながら、従来の検診業務では、読影者は１日に数百枚という画像を読影しなければならず、それら全てに読影レポートを作成することは膨大な作業であり、極めて困難である。そこで、反面検査精度の低下は防止しなければならない。
【０００７】
本発明はこのうような従来の問題点を解消すべく創案されたもので、検査精度を低下させることなく、読影結果記録の作業負担を軽減することを目的とする。
【課題を解決するための手段】
【０００８】
本発明に係る医用画像処理装置は、表示手段によって表示される医用画像とは異なる表示に変更するための指示を行う変更指示手段と、前記変更指示手段による指示に応じて、現在表示されている医用画像と同一の受診者であって現在表示されている医用画像とは別の医用画像が存在するかどうかを判断する判断手段と、前記判断手段によって現在表示されている医用画像と同一の受診者で現在表示されている医用画像とは別の医用画像が存在すると判断されるときは、該同一受診者の別の医用画像が表示されるまで、前記変更指示手段より指示された表示の変更を制限する制限制限手段と、を有することを特徴とする。
【発明の効果】
【０００９】
本発明によれば、表示される医用画像に対する読影結果の入力不備を防止することができる。
【発明を実施するための最良の形態】
【００１０】
以下、本発明に係る医用画像処理装置の実施の形態について、図１ないし図７を参照して説明する。
【００１１】
（第１の実施形態）
本発明の第１の実施形態に係る医用画像処理装置１０には、図１に示すように、キーボード１０１ａやマウス１０１ｂなどの入力部１０１、対話画面や医用画像などを表示するモニタ１０２、医用画像サーバーＩＭＳやデータベースサーバーＤＢＳとの通信や医用画像処理装置１０全体を制御するプログラムが記憶された記録媒体を備えた制御部１０３などが設けられている。
【００１２】
次に図２のフローチャートを用いて、制御部１０３がどのように医用画像処理装置を制御しているかについて説明する。
【００１３】
ステップＳ２０１にて、キーボード１０１ａやマウス１０１ｂからの入力に応じて、制御部１０３が医用画像サーバーＩＭＳと通信し所望の医用画像を転送しモニタ１０２上に表示する制御を行う。
【００１４】
ステップＳ２０２で、ステップＳ２０１にて表示した医用画像の表示時間をカウントするためにタイマースタートする。通常、読影者は医用画像をモニタ３２上に表示した後、表示したい医用画像の読影を開始しているため、タイマースタート後は表示した医用画像の読影終了待ち状態となっている。
【００１５】
ステップＳ２０３では、ステップＳ２０１にて表示した医用画像以外の画面を表示するための操作の有無を判断する。読影者がステップＳ２０１にて表示した医用画像の読影が終了したなら、別の医用画像を表示するための操作を行うか、あるいは患者の一覧表などの画面を表示するための操作をキーボード１０１ａやマウス１０１ｂから行う。このステップではこのような操作の有無を判断している。すなわち、現在表示している医用画像から異なる画面を表示する操作を行ったことで、現在表示している医用画像の読影が終了したと判断している。ステップＳ２０３にて、現在の医用画像以外の画面を表示するための操作があった場合にはステップＳ２０５へ進み、そのような操作がなければステップＳ２０４へ進む。
【００１６】
ステップＳ２０４では、ステップＳ２０２にて計測を開始した医用画像の表示時間が所定時間経過したかどうかを判断する。ここで所定時間が経過していればステップＳ２０５へ進み、一方、まだ経過していなければステップＳ２０３に戻る。
【００１７】
ステップＳ２０５では、読影結果レポートに読影結果が入力されているかどうか判断する。読影結果レポートに読影結果の入力があれば、ステップＳ２０７へ進み、入力がなければステップＳ２０６へ進む。なお、はじめて表示させた画像の場合には、読影結果レポートへの結果入力は存在しないので、必ずステップＳ２０６に進むことになる。
【００１８】
ステップＳ２０６では、読影結果レポート入力画面を表示する。読影者はここでステップＳ２０１にて表示した医用画像の読影結果をキーボード１０１ａやマウス１０１ｂから入力する。入力された読影結果レポートはデータベースサーバーＤＢＳに保存される。
【００１９】
読影結果レポート入力画面では、入力すべき読影結果があらかじめ用意されている定型文書をプルダウンメニューから選択できるよう構成され、その入力作業が効率よく行えるように工夫されている。
【００２０】
一方、定型文だけは不十分である場合に備えて、詳細情報入力画面が用意され、読影結果レポートに疾病名や経過状況などの詳細情報を入力することも可能である。
【００２１】
また、集団検診の場合、ほとんどの受診者は異常所見が認められないのが通例である。そのため、異常所見が見つからなかった場合には、プルダウンメニューよりもさらに簡便に入力することができるよう、ボタンの１クリックで入力することも可能である。
【００２２】
なお、現段階ではレポートを作成するにはいたらず、後で再度読影して読影結果レポートを作成するときのために、読影結果レポートの作成を保留することもできる。
【００２３】
ステップＳ２０７は、ステップＳ２０３と同様にステップＳ２０１にて表示した医用画像以外の画面を表示するための操作の有無を判断している。つまり、現在表示している医用画像以外の画面を表示するための操作が行われるのを待っている。ここで、操作があれば、ステップＳ２０８に進み、操作がなければこのステップを繰り返す。
【００２４】
ステップＳ２０８では、ステップＳ２０７での操作に基づいてステップＳ２０１にて表示した医用画像以外の画面を表示する。
【００２５】
このように、ステップＳ２０１にて表示した医用画像から別の医用画像を表示する際には、必ず読影結果レポート入力画面に入力しなければならないように制御されているので、読影結果を入力忘れを防止することができる。
【００２６】
なお、読影結果の入力方法はキーボード、マウスに限定されるものではなく、他の入力デバイスもしくは音声によるものであっても構わない。
【００２７】
（第２の実施形態）
本発明の第２の実施形態に係る医用画像処理装置２０には、図３に示すように、キーボード２０１ａやマウス２０１ｂなどの入力部２０１、対話画面や医用画像などを表示するモニタ２０２、医用画像サーバーＩＭＳやデータベースサーバーＤＢＳとの通信や医用画像処理装置２０全体を制御するプログラムが記憶された記録媒体を備えた制御部２０３などが設けられている。
【００２８】
次に図４のフローチャートを用いて、制御部２０３がどのように医用画像処理装置２０を制御しているかについて説明する。
【００２９】
ステップＳ３０１にて、キーボード２０１ａやマウス２０１ｂからの入力に応じて、制御部２０３が医用画像サーバーＩＭＳと通信し所望の医用画像を転送しモニタ２０２上に表示する制御を行う。
【００３０】
次に、ステップＳ３０２にて、ステップＳ３０１にて表示した医用画像の表示時間をカウントするためにタイマースタートする。通常、読影者は医用画像をモニタ２０２上に表示した後、表示したい医用画像の読影を開始しているため、タイマースタート後は表示した医用画像の読影終了待ち状態となっている。
【００３１】
ステップＳ３０３では、ステップＳ３０１にて表示した医用画像以外の画像を表示するための操作の有無を判断している。これはつまり、読影者がステップＳ３０１にて表示した医用画像の読影が終了したなら、別の医用画像を表示するための操作を行うか、あるいは患者の一覧表などを表示するための操作をキーボード２０１ａやマウス２０１ｂから行う。すなわち、現在表示している医用画像から別の医用画像を表示すべく操作を行ったことで、現在表示している医用画像の読影が終了したと判断している。
【００３２】
ステップＳ３０３にて、現在の医用画像以外の画像を表示するための操作があった場合にはステップＳ３０５へ進み、そのような操作がなければステップＳ３０４へ進む。
【００３３】
ステップＳ３０４では、ステップＳ３０２にて計測を開始した医用画像の表示時間が所定時間経過したかどうかを判断する。ここで所定時間が経過していればステップＳ３０５へ進み、一方、まだ経過していなければステップＳ３０３に戻る。
【００３４】
ステップＳ３０５では、読影結果レポートに読影結果が入力されているかどうか判断する。読影結果レポートに読影結果の入力があれば、ステップＳ３０８へ進み、入力がなければステップＳ３０６へ進む。なお、はじめて読影した画像の場合には、当然、読影結果レポートへの結果入力は存在しないので、必ずステップＳ３０６に進むことになる。
【００３５】
ステップＳ３０６では、読影結果レポートを自動作成する。自動生成される読影結果レポートの内容は、あらかじめ設定することができるようになっている。通常は異常所見が認められなかった場合を意味するレポートを作成することが多いので、「所見なし」を設定しておく。
【００３６】
このとき、画像を表示していた時間を読影に要した時間として自動入力したり、読影者の名前を読影結果レポートに自動入力する。このように、読影結果レポートが作成されたらステップＳ３０７に進む。
【００３７】
ステップＳ３０７では、ステップＳ３０６で作成された読影結果レポートをデータベースサーバーＤＢＳに保存する。読影結果レポートを保存したらステップＳ３０８へ進む。
【００３８】
ステップＳ３０８は、ステップＳ３０３と同様にステップＳ３０１にて表示した医用画像以外の画像を表示するための操作の有無を判断している。つまり、現在表示している医用画像以外の画像を表示するための操作が行われるのを待っている。ここで、操作があれば、現在表示している医用画像以外の画像を表示する。操作がなければこのステップを繰り返す。
【００３９】
このように、本実施形態では、医用画像を表示し、所定時間経過後に読影結果レポート入力されていない場合は、読影結果レポートを自動的に作成している。
【００４０】
なお、読影結果の入力方法はキーボード、マウスに限定されるものではなく、他の入力デバイスもしくは音声によるものであっても構わない。
【００４１】
（第３の実施形態）
本発明の第３の実施形態に係る医用画像処理装置３０には、図５に示すように、キーボード３０１ａやマウス３０１ｂなどの入力部３０１、対話画面や医用画像などを表示するモニタ３０２、医用画像サーバーＩＭＳやデータベースサーバーＤＢＳとの通信や医用画像処理装置３０全体を制御するプログラムが記憶された記録媒体を備えた制御部３０３などが設けられている。
【００４２】
次に図６のフローチャートを用いて、制御部３０３がどのように医用画像処理装置３０を制御しているかについて説明する。
【００４３】
まず、ステップＳ４０１にて、キーボード３０１ａやマウス３０１ｂからの入力に応じて、制御部３０３が医用画像サーバーＩＭＳと通信し所望の医用画像を転送しモニタ３０２上に表示する制御を行う。
【００４４】
次に、ステップＳ４０２では、ステップＳ４０１にて表示した医用画像以外の画像を表示するための操作の有無を判断している。これはつまり、読影者がステップＳ４０１にて表示した医用画像の読影が終了したなら、別の医用画像を表示するための操作を行うか、あるいは患者の一覧表などを表示するための操作をキーボード３０１ａやマウス３０１ｂから行う。すなわち、現在表示している医用画像から別の医用画像を表示すべく操作を行ったことで、現在表示している医用画像の読影が終了したと判断している。
【００４５】
ステップＳ４０３では、読影結果レポートに読影結果が入力されているかどうか判断する。読影結果レポートに読影結果の入力があれば、ステップＳ４０６へ進み、入力がなければステップＳ４０４へ進む。なお、はじめて読影した画像の場合には、当然、読影結果レポートへの結果入力は存在しないので、必ずステップＳ４０４に進むことになる。
【００４６】
ステップＳ４０４では、読影結果レポートを自動作成する。読影結果レポートの自動作成方法については第２の実施形態と同様であるので、説明を省略する。読影結果レポートが作成されたらステップＳ４０５に進む。
【００４７】
ステップＳ４０５では、ステップＳ４０４で作成された読影結果レポートをデータベースサーバーＤＢＳに保存する。読影結果レポートを保存したらステップＳ４０６へ進む。
【００４８】
ステップＳ４０６では、ステップＳ４０２での操作内容に対応する画像表示を行う。例えば、ステップＳ４０２で次の受診者の医用画像を表示する操作が行われていれば、ステップＳ４０６で次の受診者の医用画像を表示し、ステップＳ４０２で医用画像の一覧を表示する操作が行われていれば、ステップＳ４０６で医用画像の一覧を表示する。
【００４９】
このように、本実施形態では、医用画像を表示し、表示した医用画像以外の画像を表示する操作を行った場合に、読影結果レポートへの入力の有無を判断して、読影結果レポート入力されていない場合は、読影結果レポートを自動的に作成している。
【００５０】
なお、読影結果の入力方法はキーボード、マウスに限定されるものではなく、他の入力デバイスもしくは音声によるものであっても構わない。
【００５１】
（第３の実施形態の変形例）
図７は前述の第３の実施形態において、１人の受診者が複数の検査を持っている場合を説明するフローチャートである。
【００５２】
ここでいう、検査とはＤＩＣＯＭ規格で決められているもので、１回の撮影開始から撮影終了までを１つの検査といっている。例えば、胸部Ｘ線画像を撮影する場合は、撮影開始から胸部を撮影し、撮影を終了する。この場合、１検査には胸部Ｘ線画像が１枚あることになる。
【００５３】
まず、ステップＳ５０１にて、キーボード３０１ａやマウス３０１ｂからの入力に応じて、制御部３０３が医用画像サーバーＩＭＳと通信し所望の医用画像を転送しモニタ３０２上に表示する制御を行う。
【００５４】
次に、ステップＳ５０２では、ステップＳ５０１にて表示した医用画像以外の画像を表示するための操作の有無を判断している。これはつまり、読影者がステップＳ５０１にて表示した医用画像の読影が終了したなら、別の医用画像を表示するための操作を行うか、あるいは患者の一覧表などを表示するための操作をキーボード３０１ａやマウス３０１ｂから行う。すなわち、現在表示している医用画像から別の医用画像を表示すべく操作を行ったことで、現在表示している医用画像の読影が終了したと判断している。
【００５５】
ステップＳ５０３では、読影結果レポートに読影結果が入力されているかどうか判断する。読影結果レポートに読影結果の入力があれば、ステップＳ５０６へ進み、入力がなければステップＳ５０４へ進む。なお、はじめて読影した画像の場合には、当然、読影結果レポートへの結果入力は存在しないので、必ずステップＳ５０４に進むことになる。
【００５６】
ステップＳ５０４では、読影結果レポートを自動作成する。読影結果レポートの自動作成方法については第２の実施形態と同様であるので、説明を省略する。読影結果レポートが作成されたらステップＳ５０５に進む。
【００５７】
ステップＳ５０５では、ステップＳ５０４で作成された読影結果レポートをデータベースサーバーＤＢＳに保存する。読影結果レポートを保存したらステップＳ５０６へ進む。
【００５８】
ステップＳ５０６では、現在表示している患者に関して次の検査があるか判断する。例えばモニタ上にはその受診者が持つ最新の検査の画像が表示されるようになっているので、２００２年４月１日１０時１０分に撮影されたものが、ステップＳ５０１で指示されて表示されているとすると、ここでいう次の検査とは２００２年４月１日１０時１０分よりも以前に撮影された検査のことである。
【００５９】
例えば２００１年３月１日１１時４０分に撮影された検査があるなど、ステップＳ５０１で表示した医用画像の撮影日時よりも以前に撮影された検査がある場合にはステップＳ５０８に進み、ステップＳ５０１で表示した医用画像の撮影日時よりも以前に撮影された検査がない場合にはステップＳ５０７に進む。
【００６０】
ステップＳ５０８では、ステップＳ５０１で表示した医用画像の撮影日時よりも以前に撮影された検査の医用画像を表示し、ステップＳ５０３に進む。例えば、２００１年３月１日１１時４０分に撮影された検査の医用画像を表示して、再度ステップＳ５０３へ進む。そして、次の検査がなくなった時点でステップＳ５０７へ進む。
【００６１】
ステップＳ５０７では、ステップＳ５０２での操作内容に対応する画像表示を行う。
【００６２】
（第４の実施形態）
図８は第４の実施形態である医用画像処理装置を含む総合医療システム全体を説明する図、図９は医用画像処理装置の内部構成を示すブロック図、図１０は医用画像処理装置の機能を示す機能ブロック図である。
【００６３】
図８において、医用画像処理装置１１０はローカルエリアネットワーク（ＬＡＮ）１００を介して、医用画像生成装置１３０、１４０、１５０および医療データサーバ１６０に接続されている。医用画像生成装置１３０、１４０は例えばＣＴスキャン装置、ＭＲＩ装置であり、医用画像生成装置１５０は例えばＸ線撮影装置である。
【００６４】
医用画像生成装置１３０、１４０、１５０で生成された医用画像は直接医用画像処理装置１１０に伝送され、あるいは一旦医療データサーバ１６０に保存された後、医用画像処理装置１１０に伝送される。直接医用画像処理装置１１０に伝送された医用画像は医用画像処理装置１１０の記憶媒体に保存される。
【００６５】
医用画像処理装置１１０は汎用のカラー液晶モニタ１２０を備え、医用画像を簡便に表示し得る。なお、より高精細な医療画像用モノクロモニタ１７０を備えた医用画像処理装置１８０も使用可能である。
【００６６】
医用画像処理装置１１０は読影者の指示により受信した医用画像を表示し、読影者は医用画像を読影して、その結果を医用画像処理装置１１０に入力し得る。
【００６７】
図９において、医用画像処理装置１１０はバス２００にＣＰＵ２１０、ＲＡＭ２２０、ＲＯＭ２３０、通信インターフェース２４０、入力手段２６０を接続してなり、汎用カラー液晶モニタ１２０や、プリンタ２５０等の出力装置が適当なインターフェースを介してバス２００に接続されている。入力手段にはキーボード、ポインティングデバイス、マイクロフォン等が含まれる。
【００６８】
ＣＰＵ２１０は医用画像処理装置１１０全体、および出力装置の制御に使用され、その制御プログラムはＲＯＭ２３０に格納されている。通信インターフェース２４０はＬＡＮ１００による通信を制御し、適宜医用画像生成装置１３０、１４０、１５０や医療データサーバ１６０との間で医用画像その他のデータを送受信する。
【００６９】
図１０において、医用画像処理装置１１０は、医用画像を含む医療データＭｄを取得すると、まず医用画像表示装置３００（図８の汎用カラー液晶モニタ１２０、図９のＣＰＵ２１０、ＲＡＭ２２０に対応）で医用画像その他の医療データを表示する。ここで読影者は、医用画像を読影し、読影結果を第１の入力保存手段３１０（図８の医療データサーバ１６０、図９のＣＰＵ２１０、ＲＡＭ２２０、通信インターフェース２４０、入力手段２６０に対応）によって入力し、保存する。
【００７０】
第１の入力保存手段３１０では読影結果の入力を保留する処理が可能であり、この場合医療データには、読影結果は記録されず、読影結果が保留されたことが記録される。これによって読影者は自由なタイミングで読影結果を記録でき、かつ記入漏れを防止視し得る。
【００７１】
保留が有効な場合としては、全体の画像をスライドショーのようにざっと見たいとき、１度読影してスクリーニングするとき、判断が容易でないとき、後で慎重に読影したいとき、あえて入力したくないとき等、種々の場合がある。
【００７２】
一旦保存された医療データは、画像表示指示手段３２０（図９の入力手段２６０、ＣＰＵ２１０、ＲＡＭ２２０に対応）によって再表示可能であり、読影者は確認手段３３０（図８の汎用カラー液晶モニタ１２０、図９の入力手段２６０、ＣＰＵ２１０、ＲＡＭ２２０に対応）によって医療データを確認し得る。再表示した医用画像は、第２の入力保存手段（図８の医療データサーバ１６０、図９のＣＰＵ２１０、ＲＡＭ２２０、通信インターフェース２４０、入力手段２６０に対応）によって読影結果を入力、編集し得る。入力、修正後の医用画像は、画像表示指示手段３２０によって指示された条件で、画像表示手段３５０（図８の汎用カラー液晶モニタ１２０、図９のＣＰＵ２１０、ＲＡＭ２２０に対応）において表示される。
【００７３】
このように第２の入力保存手段を設けたことにより、読影者は自由なタイミングで読影結果を記録できる。
【００７４】
なお再表示可能な医用画像を読影結果保留の医用画像に限定することも可能である。これによって保留の医用画像を自動的に抽出でき、記入漏れを防止し得る。
【００７５】
次に医用画像処理装置１１０において実行される医用画像読影方法を説明する。
【００７６】
図１１は医用画像読影方法の第４の実施形態の処理を示すフローチャート、図１２は第４の実施形態における医用画像表示画面を示す正面図、図１３は第４の実施形態における読影結果入力画面を示す正面図である。
【００７７】
図１１のフローチャートに示す医用画像読影方法は次のとおりである。
ステップＳ４０１：表示すべき医用画像を各受診者について１枚とし、医用画像に対応する受診者の番号「ｉ」、表示する医用画像の間隔「ｓ」（ステップ）をデフォルト値「１」に設定する。これによって、第１番目から順次医用画像が表示されることになる。次にステップＳ４０２に移行する。
ステップＳ４０２：ｉ番目の医用画像を汎用カラー液晶モニタ１２０上に表示する。
【００７８】
図１２に示すように、汎用カラー液晶モニタ１２０には医用画像表示領域５００、受診者データ表示領域５１０、画像指定のための指示５２０、表示モード変更のための指示５３０、５４０、５５０、ステップ指定領域５６０が表示される。医用画像表示領域５００には医用画像が所定の倍率で表示され、受診者データ表示領域５１０には検査種類、医用画像に対応する受診者の患者ＩＤ、患者氏名、性別、生年月日が表示される。これはＤＩＣＯＭ規格に基づく。
【００７９】
次にステップＳ４０３に移行する。
ステップＳ４０３：読影時間を計測するため、タイマーをスタートする。次にステップＳ４０４に移行する。
【００８０】
ステップＳ４０４：読影者が、現在表示されている医用画像の表示を中止して、次の医用画像を表示することを指示したか否かを判断する。画像指定のための指示５２０は、「戻る」、「進む」、「一覧」のボタンよりなり、「進む」のボタンを押すことにより、次の医用画像が指定される。次の医用画像表示を指示したときはステップＳ４０８に移行し、指示しなかったときはステップＳ４０５に移行する。
【００８１】
ステップＳ４０５：読影者が、現在表示されている医用画像の表示を中止して、前の医用画像を表示することを指示したか否かを判断する。画像指定のための指示５２０における「戻る」のボタンを押すことにより、前の医用画像が指定される。前の医用画像表示を指示したときはステップＳ４０９に移行し、指示しなかったときはステップＳ４０６に移行する。
【００８２】
ステップＳ４０６：読影者が、現在表示されている医用画像の表示を中止して、受診者一覧の表示を指示したか否かを判断する。画像指定のための指示５２０における「一覧」のボタンを押すことにより、受診者一覧表示が指定される。受診者一覧表示を指示したときはステップＳ４０７に移行し、指示しなかったときはステップＳ４１１に移行する。
【００８３】
ステップＳ４０７：受診者一覧を表示し、ステップＳ４１０に移行する。
ステップＳ４０８：現在の医用画像が最後の医用画像であるにもかかわらず、次の医用画像表示が指示されたときは、その旨のメッセージを表示し、ステップＳ４０２に戻る。
ステップＳ４０９：現在の医用画像が最初の医用画像であるにもかかわらず、前の医用画像表示が指示されたときは、その旨のメッセージを表示し、ステップＳ４０２に戻る。
【００８４】
ステップＳ４１０：ステップＳ４０７の受診者一覧で読影者が受診者を指定したか否か判断する。受診者が指定されたときは、その医用画像番号ｉを取得し、ステップＳ４０２に戻る。受診者が指定されなかったときは現在表示されている医用画像の表示モードの変更指示があったか否か判断する。画像表示モードにおいては画像の拡大、縮小、コントラスト調整、距離測定が可能であり、さらにステップｓを設定し得る。表示モードの変更指示があったときはステップＳ４１２に移行し、表示モードの変更指示がなかったときはステップＳ４１３に移行する。
【００８５】
ステップＳ４１１：表示モードを変更する。表示モード変更のための指示は、画像の拡大、縮小ボタン５３０、コントラスト調整ボタン５４０、距離計測ボタン５５０よりなる。拡大、縮小ボタン５３０の右向き矢印を押すと画像は現在より拡大表示され、左向矢印を押すと画像は現在よりも縮小表示される。コントラスト調整ボタン５４０の右向き矢印を押すとコントラストは強調され、左向矢印を押すとコントラストは弱められる。距離計測指示のボタン５５０を押すと、距離計測が実行される。ステップ指定領域においては、現在のステップを表示する窓５４２、増減矢印５４４が設けられ、増減矢印５４４の上向き矢印を押すとステップは増加し、増加した結果のステップが窓５４２に表示される。増減矢印５４４の下向き矢印を押すとステップは減少して、減少した結果のステップが窓５４２に表示される。
【００８６】
次にステップＳ４１２に移行する。
ステップＳ４１２：ステップＳ４１１で指定された表示モード変更を実行する。
ステップＳ４１３：ステップＳ４０３で計測を開始した読影時間が満了したか否かを判断する。読影時間が満了したときにはステップＳ４１４に移行し、読影時間が満了していなかったときはステップＳ４０４に戻る。
【００８７】
ステップＳ４１４：現在表示されている医用画像について、読影結果が入力済（保留ではない）であるか否か判断する。読影結果が入力済のときはステップＳ４２１に移行し、読影結果が入力されていなかったときはステップＳ４１５に移行する。
【００８８】
ステップＳ４１５：読影結果を入力するための入力画面を表示する。このように読影時間満了時に自動的に入力画面を表示すれば、読影者の負担を軽減し得るとともに、入力漏れを防止し得る。なお入力画面表示とともに何らかの入力要求音を発声すれば、入力漏れ防止効果を高めることができる。
【００８９】
図１３に示すように、入力画面には、医用画像表示領域６００、受診者データ表示領域６１０、詳細情報入力領域６２０、音声入力指定ボタン６３０、保留選択ボタン６４０、定型文書選択領域６５０が設けられる。
【００９０】
次に、ステップＳ４１６に移行する。
ステップＳ４１６：読影結果入力待ち時間を計測するためのタイマーをスタートする。
ステップＳ４１７：読影者が読影結果の保留を選択したか否か判断する。保留の選択は保留ボタン６４０を押すことによって実行する。保留を選択したときはステップＳ４２１に移行し、保留を選択しなかったときはステップＳ４１８に移行する。
【００９１】
ステップＳ４１８：読影者が読影結果を入力したか否か判断する。読影結果は、詳細情報入力領域６２０に文章を入力し、音声入力指定ボタン６３０を押して音声入力を行い、あるいは定型文書選択領域６５０で定型文書を選択して行う。定型文書の選択は、プルダウンメニューから定型文書を選択したり、表示領域６５２に表示された定型文書をスクロールボタン６５４によって適宜スクロールして選択する等種々の方法で選択し得る。
【００９２】
読影結果を入力したときはステップＳ４２１に移行し、読影結果を入力しなかったときはステップＳ４１９に移行する。
ステップＳ４１９：読影結果入力待ち時間が満了したか否かを判断する。読影結果入力待ち時間が満了したときにはステップＳ４２０に移行し、読影結果入力待ち時間が満了していなかったときはステップＳ４１７に戻る。
【００９３】
ステップＳ４２０：入力が為されない状態で読影結果入力待ち時間が満了したときは保留とみなし、ステップＳ４２１に移行する。これによって入力漏れが防止される。
ステップＳ４２１：医用画像間隔ｓだけ進んだ医用画像を指定し、ステップＳ４２１に移行する。これによって自動的に画像が進められ、読影者の負担が軽減される。特に読影結果を入力せずに全体画像をざっと観察するような場合、読影者はなんらの操作を要しないので、大幅に負担軽減される。
【００９４】
ステップＳ４２２：所定の医用画像の読影が終了したか否か判断し、読影が終了していたそのまま処理を終了し、終了していなかったときはステップＳ４０２に戻る。
【００９５】
第４の実施形態では、保留の処理を設けたことにより、読影者は自由なタイミングで読影結果を入力でき、かつ入力漏れを防止し得る。
【００９６】
尚、本発明は、複数の機器から構成されるシステムに適用しても、１つの機器からなる装置に適用してもよい。前述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００９７】
この場合、記憶媒体から読み出されたプログラムコード自体が前述した実施形態の機能を実現することになり、そのプログラムコードを記憶した記憶媒体は本発明を構成することになる。
【００９８】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９９】
また、コンピュータが読出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【０１００】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１０１】
【図１】第１の実施形態である医用画像処理装置医用画像処理装置のブロック図
【図２】第１の実施形態である医用画像処理装置の動作を説明するフローチャート
【図３】第２の実施形態である医用画像処理装置のブロック図
【図４】第２の実施形態である医用画像処理装置の動作を説明するフローチャート
【図５】第３の実施形態である医用画像処理装置のブロック図
【図６】第３の実施形態である医用画像処理装置の動作を説明するフローチャート
【図７】第３の実施形態の変形例である医用画像処理装置の動作を説明するフローチャート
【図８】第４の実施形態である医用画像処理装置を含む総合医療システム全体を説明する図
【図９】第４の実施形態である医用画像処理装置を説明するブロック図
【図１０】第４の実施形態である医用画像処理装置の機能を説明する機能ブロック図
【図１１】第４の実施形態である医用画像処理装置の動作を説明するフローチャート
【図１２】第４の実施形態である医用画像処理装置における医用画像表示画面を説明する図
【図１３】第４の実施形態である医用画像処理装置における読影結果入力画面を説明する図
【符号の説明】
【０１０２】
１２０  カラー液晶モニタ
２１０  ＣＰＵ
２２０  ＲＡＭ
２４０  通信インターフェース
２６０  入力手段
３００  医用画像処理装置
３１０、３４０  入力保持手段
３２０  画像表示指示手段
３３０  確認手段
３５０  画像表示手段
【図１】
2008259877.tif 000003
【図２】
2008259877.tif 000004
【図３】
2008259877.tif 000005
【図４】
2008259877.tif 000006
【図５】
2008259877.tif 000007
【図６】
2008259877.tif 000008
【図７】
2008259877.tif 000009
【図８】
2008259877.tif 000010
【図９】
2008259877.tif 000011
【図１０】
2008259877.tif 000012
【図１１】
2008259877.tif 000013
【図１２】
2008259877.tif 000014
【図１３】
2008259877.tif 000015